(57)【特許請求の範囲】
【請求項１】
投入された紙葉類を装置内に取り込むときは、前記紙葉類を一時的にプール部に蓄積し、該プール部を回動して紙葉類を装置内に取り込む紙葉類取扱装置において、
前記プール部の回動をガイドするガイド壁に干渉部材を設け、
前記紙葉類を装置内に取り込むときの前記ガイド壁に沿って前記プール部を回動する時に、前記一時的にプール部に蓄積された紙葉類の端面が前記干渉部材により捌かれるようにしたことを特徴とする紙葉類取扱装置。
【請求項２】
前記干渉部材は、シート状の摩擦部材としたことを特徴とする請求項１記載の紙葉類取扱装置。
【請求項３】
前記干渉部材は、突起部としたことを特徴とする請求項１記載の紙葉類取扱装置。
【請求項４】
投入された紙葉類を装置内に取り込むときは、前記紙葉類を一時的にプール部に蓄積し、該プール部を回動して紙葉類を装置内に取り込み、受け取られる紙葉類を蓄積するときは、羽根車を回転させ紙葉類の浮き上がりを防止して前記プール部に集積し、前記プール部を回動して紙葉類を取り出せるようにした紙葉類取扱装置において、
前記投入された紙葉類を装置内に取り込むときの前記ガイド壁に沿って前記プール部を回動する時に、前記羽根車を前記回転方向とは逆方向に回転しまたは固定して紙葉類の端面が捌かれるようにしたことを特徴とする紙葉類取扱装置。
【発明の詳細な説明】
【技術分野】
【０００１】
本発明は、紙葉類を取扱う紙葉類取扱装置における紙葉類繰出し機構に関するものである。
【背景技術】
【０００２】
従来の紙葉類取扱装置、例えば紙幣入出金機では、紙幣間の付着物や紙幣端部のダレによる貼り付きなどを原因とする繰出し不良を防止するために、昇降可能な押圧板上に積載された紙幣の側面に対し、所定の進入量を持って当接する捌き（さばき）レバーを備え、積載された紙幣の一端を捌いた後に繰出すようにしていた（例えば、特許文献１参照）。
【特許文献１】特開２００６−１１７３２
【発明の開示】
【発明が解決しようとする課題】
【０００３】
しかしながら、上記従来の紙葉類取扱装置では、捌くための機構やその駆動部が必要であり、構成が複雑になるとともにコストも高くなるといった問題があった。
【課題を解決するための手段】
【０００４】
本発明は、前述の課題を解決するために次の手段を採用する。すなわち、投入された紙葉類を装置内に取り込むときは、前記紙葉類を一時的にプール部に蓄積し、該プール部を回動して紙葉類を装置内に取り込む紙葉類取扱装置において、前記プール部の回動をガイドするガイド壁に干渉部材を設け、前記紙葉類を装置内に取り込むときの前記ガイド壁に沿って前記プール部を回動する時に、前記干渉部材により前記一時的にプール部に蓄積された紙葉類の端面が捌かれるようにした。
または、別の発明では、投入された紙葉類を装置内に取り込むときは、前記紙葉類を一時的にプール部に蓄積し、該プール部を回動して紙葉類を装置内に取り込み、受け取られる紙葉類を蓄積するときは、羽根車を回転させ紙葉類の浮き上がりを防止して前記プール部に集積し、前記プール部を回動して紙葉類を取り出せるようにした紙葉類取扱装置において、前記投入された紙葉類を装置内に取り込むときの前記ガイド壁に沿って前記プール部を回動する時に、前記羽根車を前記回転方向とは逆方向に回転しまたは固定して紙葉類の端面が捌かれるようにした。
【発明の効果】
【０００５】
本発明の紙葉類取扱装置によれば、上記のように構成したので、新たな駆動部や機構を設けることなく、紙幣の複数枚の繰出しや繰出しジャムなどの繰り出し不良を防止することができる。
【発明を実施するための最良の形態】
【０００６】
以下、本発明に係る実施の形態例を、図面を用いて説明する。なお、以下の実施例の説明では、紙幣を取扱う紙幣入出金機を例として説明するが、その他の紙葉類を取扱う装置にも本発明を適用することができる。
【実施例１】
【０００７】
（構成）
図１は、実施例１の紙葉類取扱装置の一例としての紙幣入出金機の外観斜視図である。同図に示したように、紙幣入出金機１は、その前面に顧客が操作しガイダンス等を表示する顧客操作表示盤２と、紙幣を入金または出金するための紙幣入出金口３と、カードの挿入排出を行うカード挿入排出口４および取引終了時に顧客に取引明細票を返却する明細票排出口５とを備えている。７は、紙幣入出金機１の筐体である。
【０００８】
図２は、実施例１の紙幣入出金機における紙幣入出金部の側面図である。なお、図２において右側が紙幣入出金機１の前面側（以下、単に「装置前面側」という）であり、左側が紙幣入出金機１の後面側（以下、単に「装置後面側」という）である。また、便宜上、紙面奥行き方向を「装置左右方向」といい、紙面上下方向を「装置上下方向」という。
【０００９】
図３は、図２における右側である装置前面側から見たときの、摩擦部材３２やフィードローラ２８等の装置後前面側の部材を示した側面図である。
【００１０】
また、図２は、紙幣２４を投入または受取る際のプール部１００の位置であり、これを第１のポジションとし、図５は、紙幣２４を図示しない装置内に取り込む時または出金時に集積する際のプール部１００の位置であり、これを第２のポジションとして以下説明する。そして、図４は、プール部１００が第１のポジションから第２のポジションに移行する途中の状態を示している。
【００１１】
図中、１０は、紙幣入出金口３上部に設けられたシャッタであり、入出金取引等において顧客に紙幣を受け渡す際に図示しない駆動部により開閉するように配置されている。
【００１２】
２４は、入金された後の分離紙幣または出金する集積後の紙幣を示している。図中紙面奥行き方向が紙幣長手方向で、図中高さ方向が紙幣短手方向となっている。
【００１３】
２１は、プール壁であり、紙幣入出金部に入金または出金する複数紙幣２４を蓄積する空間を形成し、側断面が略Ｌ字形の部材からなる。
【００１４】
２２は、紙幣プールであり、紙幣２４を一時的に蓄積する図中上部が開口した空間であり、紙幣２４を取り囲むプール壁２１とビルプレス２５で囲まれた空間により形成されており、顧客が紙幣２４を投入したり受け取ることができるようになっている。
【００１５】
２５は、ビルプレスであり、略直方体状の板材からなり、紙幣プール２２に投入された紙幣２４を後述する繰出しローラ２７に当接させるように押圧するものでもあり、投入された紙幣２４をプール壁２１に押し付けることができるようになっている。
【００１６】
２６は、紙幣プール２２を矢印Ａ方向に回動する支点軸であり、プール壁２１の装置左右方向の側面に備えられている。
【００１７】
１００は、プール部であり、前記紙幣プール２２を構成するプール壁２１とビルプレス２５により構成され、支点軸２６を中心に装置後面方向に約９０度回動させることができるようになっている。すなわち、プール部１００は図２に示す第１のポジションから回動を開始し、図４に示す状態を経て、図５に示す第２のポジションに移動する。
【００１８】
２７は紙幣２４を繰出すための繰出しローラであり、２８は繰出しローラ２７と同期して回転し紙幣２４を搬送するフィードローラである。２９は、紙幣２４を１枚ずつ分離するためのゲートローラであり、図３に示したように、フィードローラ２８と軸方向すなわち、装置左右方向にずれて対向しオーバーラップするように設けられている。
【００１９】
３０は、１枚ずつ分離された紙幣２４を矢印Ｂのように図示しない装置内へ取り込む搬送路である。
【００２０】
３１は、プール部１００が第１のポジションから第２のポジションに移動する際に紙幣２４がはみ出さないように案内するガイド壁であり、図面が複雑になるため図示していないがプール壁２１とビルプレス２５とは装置左右方向に互いに入れ子になるようになっている。
【００２１】
３２は、紙幣２４の端面を捌くためのシート状の摩擦部材であり、プール部１００が第１のポジションから第２のポジションに移動する際に紙幣２４の端面が擦れるように、ガイド壁３１に固定されている。なお、摩擦部材３２は、図３に示したように、ガイド壁３１に複数固定するようにしてもよいし、一体となった摩擦部材３２を設けるようにしても勿論よい。
【００２２】
（動作）
以上の構成により実施例１の紙幣入出金機は、以下のように動作する。この動作のうち本発明の本旨が明確になる入金動作を図２、図４および図５を用いて以下詳細に説明する。
【００２３】
まず、シャッタ１０が装置後面側へ移動して開き、顧客が紙幣２４を投入すると、シャッタ１０が装置前面側へ移動して閉じる。なお、図２はシャッタ１０が閉じた状態を示している。
【００２４】
次に、ビルプレス２５が装置後面側へ移動し、プール壁２１とビルプレス２５とで紙幣２４を挟んだ後、プール部１００を図示しない駆動部により矢印Ａのように装置後面側へ９０度回転させると、図５に示す第２のポジションとなる。
【００２５】
このとき、プール部１００が回動する際に、図４に示したように、紙幣２４の上部端面がガイド壁３１に沿って移動し、ガイド壁３１に設けた摩擦部材３２と擦れることによって紙幣２４が適度に捌かれながら、図５の第２のポジションまで移動する。
【００２６】
そして、図５の第２のポジションにおいて、紙幣２４をビルプレス２５により繰出しローラ２７に押圧する。一方、繰出しローラ２７をプール壁２１に設けられた切り欠き部から紙幣プール２２内に突出させ紙幣２４に当接させる。
【００２７】
そして、繰出しローラ２７を図５の矢印Ｃ方向、すなわち反時計方向に回転することにより紙幣２４を繰り出し、フィードローラ２８およびゲートローラにより１枚ごとに分離しながら矢印Ｂのように搬送路３０の方向へ搬送し図示しない装置内に搬送する動作を行う。
【００２８】
すべての紙幣２４を１枚ごとに分離し装置内に搬入した後、再び、プール部１００を装置前面側へ９０度回転させて、顧客が紙幣を投入できる図２の位置までビルプレス２５を戻し、入金動作を完了する。
【００２９】
（実施例１の効果）
以上のように、実施例１の紙幣入出金機によれば、プール部の回動をガイドするガイド壁に摩擦部材を設け、前記ガイド壁に沿って前記プール部を回動するときに、前記摩擦部材により紙幣の端面を捌くようにしたので、新たな駆動部や機構を設けることなく、紙幣の複数枚の繰出しや繰出しジャムなどの繰り出し不良を防止することができる。
【実施例２】
【００３０】
（構成）
図６は、実施例２の紙幣入出金機における紙幣入出金部の側面図であり、図７は、図６右側である装置前面側から見たときの、突起部３３やフィードローラ２８等の装置後前面側の部材を示した側面図である。
【００３１】
また、図６は、実施例１と同様、紙幣２４を投入または受取る際のプール部１００の位置である第１のポジションを示し、図９は紙幣を装置内に取り込む時または出金時に集積する際の第２のポジションを示している。そして、図８は、プール部１００が第１のポジションから第２のポジションに移行する途中の状態を示している。
【００３２】
図中、３３は、紙幣２４の端面を捌くためのガイド壁３１に設けられた突起部であり、プール部１００が第１のポジションから第２のポジションに移動する際に紙幣２４の端面と所定量ぶつかるように、ガイド壁３１に固定されている。なお、突起部３３は、図７に示したように、ガイド壁３１に複数個固定するようにしてもよいし、一体となった突起部３３を設けるようにしてもよい。また、突起部３３の山を１つ設けた例を示したが、それぞれ複数の山を設けた形状としてもよいし、装置上下方向に複数列設けるようにしてもよい。
【００３３】
実施例２の紙幣入出金機１の外観構成、紙幣入出金部のその他の構成は実施例１の構成と同様であるので、簡略化のためにその詳細な説明を省略する。
【００３４】
（動作）
以上の構成により実施例１の紙幣入出金機は、以下のように動作する。この動作のうち入金動作を図６、図８および図９の動作説明図を用いて以下詳細に説明する。
【００３５】
まず、シャッタ１０が装置後面側へ移動して開き、顧客から紙幣２４が投入されると、シャッタ１０が装置前面側へ移動して閉じる。なお、図６はシャッタ１０が閉じた状態を示している。
【００３６】
次に、ビルプレス２５が装置後面側へ移動し、プール壁２１とビルプレス２５とで紙幣２４を挟んだ後、プール部１００を図示しない駆動部により矢印Ａのように装置後面側へ９０度回転させると、図９に示す第２のポジションとなる。
【００３７】
このとき、プール部１００が回動する際に、図８に示したように、紙幣２４の上部端面がガイド壁３１に沿って移動し、ガイド壁３１に設けた突起部３３と擦れることによって紙幣２４が適度に捌かれながら、図９の第２のポジションまで移動する。
【００３８】
そして、図９の第２のポジションにおいて、紙幣２４をビルプレス２５により繰出しローラ２７に押圧する。一方、繰出しローラ２７をプール壁２１に設けられた切り欠き部から紙幣プール２２内に突出させ紙幣２４に当接させる。
【００３９】
そして、繰出しローラ２７を図９の矢印Ｃ方向、すなわち反時計方向に回転することにより紙幣２４を繰り出し、フィードローラ２８およびゲートローラにより１枚ごとに分離しながら矢印Ｂのように搬送路３０の方向へ搬送し図示しない装置内に搬送する動作を行う。
【００４０】
すべての紙幣２４を１枚ごとに分離し装置内に搬入した後、再び、プール部１００を装置前面側へ９０度回転させて、顧客が紙幣を投入できる図６の位置までビルプレス２５を戻し、入金動作を完了する。
【００４１】
（実施例２の効果）
以上のように実施例２の紙幣入出金機によれば、プール部の回動をガイドするガイド壁に突起部を設け、ガイド壁に沿ってプール部を回動するときに、前記突起部と紙幣端面と所定量当接させて捌くようにしたので、新たな駆動部や機構部を設けることなく簡単な構成で、紙幣の複数枚の繰出しや繰出しジャムなどの繰り出し不良を防止することができる。
【実施例３】
【００４２】
（構成）
図１０は、実施例３の紙幣入出金機における紙幣入出金部の側面図であり、図１１は、図１０右側である装置前面側から見たときの、羽根車３５やフィードローラ２８等の装置後前面側の部材を示した側面図である。
【００４３】
また、図１０は、実施例１と同様、紙幣２４を投入または受取る際のプール部１００の位置である第１のポジションを示し、図１３は紙幣を装置内に取り込む時または出金時に集積する際の第２のポジションを示している。そして、図１２は、プール部１００が第１のポジションから第２のポジションに移行する途中の状態を示している。
【００４４】
図中、３４は、搬送路を示し、ベルト対などで紙幣２４を挟持して矢印Ｄ方向に搬送する搬送路であり、図１４ないし図１６を用いて後述する出金のための紙幣や返却する紙幣を図示しない装置内から紙幣プール２２へ送るための搬送路である。
【００４５】
３５は、放射状の羽を設けた弾性体の羽根車であり、紙幣集積時には、矢印Ｅ方向とは逆の時計方向に回転し紙幣２４の浮き上がりを防止する紙幣集積ローラとして機能するとともに、プール部１００が第１のポジションから第２のポジションに移動するときは矢印Ｅ方向に回転し、紙幣２４の端面と所定量当接させ捌く機能を有している。なお、羽根車３５は、図１１に示したようにガイド壁３１に複数個設けるようにしてもよいし、一体となった羽根車を設けるようにしてもよい。
【００４６】
実施例３の紙幣入出金機１の外観構成、紙幣入出金部のその他の構成は実施例１の構成と同様であるので、簡略化のためにその詳細な説明を省略する。
【００４７】
（動作）
以上の構成により実施例１の紙幣入出金機は、以下のように動作する。この動作のうち入金動作を図１０、図１２および図１３の動作説明図を用いて最初に説明する。
【００４８】
（入金動作）
まず、シャッタ１０が装置後面側へ移動して開き、顧客から紙幣２４が投入されると、シャッタ１０が装置前面側へ移動して閉じる。なお、図１０はシャッタ１０が閉じた状態を示している。
【００４９】
次に、ビルプレス２５が装置後面側へ移動し、プール壁２１とビルプレス２５とで紙幣２４を挟んだ後、プール部１００を図示しない駆動部により矢印Ａのように装置後面側へ９０度回転させると、図１３に示す第２のポジションとなる。
【００５０】
このとき、プール部１００が第１のポジションから第２のポジションに移動する際に、紙幣２４の端面がガイド壁３１に沿って移動し、一方、図１２に示したように、羽根車３５が矢印Ｅ方向、すなわち反時計回りに回転し紙幣２４の端面が羽根車３５とぶつかることによって、紙幣２４を捌きながら、図１３の第２のポジションまで移動する。
【００５１】
そして、図１３の第２のポジションにおいて、紙幣２４をビルプレス２５により繰出しローラ２７に押圧する。一方、繰出しローラ２７をプール壁２１に設けられた切り欠き部から紙幣プール２２内に突出させ紙幣２４に当接させる。
【００５２】
そして、繰出しローラ２７を図１３の矢印Ｃ方向、すなわち反時計方向に回転することにより紙幣２４を繰り出し、フィードローラ２８およびゲートローラにより１枚ごとに分離しながら矢印Ｂのように搬送路３０の方向へ搬送し図示しない装置内に搬送する動作を行う。
【００５３】
すべての紙幣２４を１枚ごとに分離し装置内に搬入した後、再び、プール部１００を装置前面側へ９０度回転させて、顧客が紙幣を投入できる図１０の位置までビルプレス２５を戻し、入金動作を完了する。
【００５４】
なお、以上の説明では、プール部１００が第１のポジションから第２のポジションに移動する際に、羽根車３５を矢印Ｅ方向に回転して紙幣２４の端面が羽根車３５にぶつかるように説明したが、回転を固定して紙幣２４の端部を捌くようにしてもよいし、プール部１００の回転速度より早く矢印Ｅ方向とは逆の時計方向に回転させて紙幣２４の端部を捌くようにしてもよい。
【００５５】
（出金動作）
次に、出金取引時の動作を図１４ないし図１６を用いて説明する。まず、図１４に示したように、ビルプレス２５を装置上方向に上昇させ、紙幣２４を集積する空間を作る。
【００５６】
次に、図１５に示したように、図示しない装置内より、矢印Ｄ方向に紙幣２４が１枚ずつ搬送路３４を通って紙幣プール２２へ送られる。その際、紙幣同士の衝突を防止するため、羽根車３５が矢印Ｆ方向、すなわち時計回りに回転し、矢印Ｇのように紙幣プール２２に送り出された紙幣２４を下側へ押し下げる。羽根車３５は、紙幣２４が紙幣プール２２へ送られる間、常に矢印Ｆ方向に回転している。
【００５７】
そして、全ての出金紙幣を紙幣プール２２へ送り出した後、図１６に示したように、ビルプレス２５を装置下方向へ移動し、プール壁２１とビルプレス２５とで紙幣２４を挟んだ後、プール部１００を図示しない駆動部により装置前面側へ９０度回転する。
【００５８】
そして、ビルプレス２５を装置前面側へ移動し、図１０に示す第１のポジションとなり、シャッタ１０を装置後面側へ移動して開き、顧客が紙幣２４を抜き取ると、シャッタ１０を装置前面側へ移動して閉じ、出金動作を完了する。
【００５９】
（実施例３の効果）
以上のように実施例３の紙幣入出金機によれば、紙葉類をプール部に集積するときに羽根車により紙幣類の浮き上がりを防止して集積し、前記プール部を回動して紙葉類を繰り出す紙葉類取扱装置において、前記プール部を回動するときに、前記羽根車を回転または固定して紙葉類の端面を捌くようにしたので、新たな駆動部や機構部を設けることなく、紙幣の複数枚の繰出しや繰出しジャムなどの繰り出し不良を防止することができる。
【００６０】
《その他の変形例》
以上の実施例の説明では、プール部１００を回動させる場合の例を説明したが、プール部１００を直線状に移動させる場合であっても、当該プール部１００の移動の際、紙幣端部が所定量当接するように摩擦部材３２、突起部３３または羽根車３５を配置し、当該当接により紙幣端部を捌くようにすればよい。
【００６１】
また、以上の説明では、種類の異なる紙幣、すなわち大きさが異なる紙幣を入金する動作については説明しなかったが、大きさ異なる紙幣を取扱うときは、紙幣プールの底を上下させ、プール部１００の移動の際、紙幣端部が摩擦部材３２、突起部３３または羽根車３５に所定量当接するようにするとなおよい。
【産業上の利用可能性】
【００６２】
以上の説明では、本発明を紙幣入出金機に適用した例を説明したが、本発明は紙葉類を取扱う紙葉類取扱装置に広く用いることができる。
【図面の簡単な説明】
【００６３】
【図１】実施例１の紙幣入出金機の外観斜視図である。
【図２】実施例１の紙幣入出金機の紙幣入出金部の構成および動作説明図である。
【図３】実施例１の紙幣入出金機の紙幣入出金部の側面図である。
【図４】実施例１の紙幣入出金機の紙幣入出金部の動作説明図である。
【図５】実施例１の紙幣入出金機の紙幣入出金部の動作説明図である。
【図６】実施例２の紙幣入出金機の紙幣入出金部の構成および動作説明図である。
【図７】実施例２の紙幣入出金機の紙幣入出金部の側面図である。
【図８】実施例２の紙幣入出金機の紙幣入出金部の動作説明図である。
【図９】実施例２の紙幣入出金機の紙幣入出金部の動作説明図である。
【図１０】実施例３の紙幣入出金機の紙幣入出金部の構成および動作説明図である。
【図１１】実施例３の紙幣入出金機の紙幣入出金部の側面図である。
【図１２】実施例３の紙幣入出金機の紙幣入出金部の動作説明図である。
【図１３】実施例３の紙幣入出金機の紙幣入出金部の動作説明図である。
【図１４】実施例３の紙幣入出金機の紙幣入出金部の動作説明図である。
【図１５】実施例３の紙幣入出金機の紙幣入出金部の動作説明図である。
【図１６】実施例３の紙幣入出金機の紙幣入出金部の動作説明図である。
【符号の説明】
【００６４】
１    紙幣入出金機
３    紙幣入出金口
１０  シャッタ
２１  プール壁
２２  紙幣プール
２４  紙幣
２５  ビルプレス
２６  紙幣プールの支点軸
２７  繰出しローラ
２８  フィードローラ
２９  ゲートローラ
３０、３４  搬送路
３１  ガイド壁
３２  摩擦部材
３３  突起部
３５  羽根車
１００  プール部
【図１】
0005262200.tif 000002
【図２】
0005262200.tif 000003
【図３】
0005262200.tif 000004
【図４】
0005262200.tif 000005
【図５】
0005262200.tif 000006
【図６】
0005262200.tif 000007
【図７】
0005262200.tif 000008
【図８】
0005262200.tif 000009
【図９】
0005262200.tif 000010
【図１０】
0005262200.tif 000011
【図１１】
0005262200.tif 000012
【図１２】
0005262200.tif 000013
【図１３】
0005262200.tif 000014
【図１４】
0005262200.tif 000015
【図１５】
0005262200.tif 000016
【図１６】
0005262200.tif 000017